(57)【要約】【課題】交代勤務あけの人々などが気軽に利用でき、しかも快適な睡眠が得られる集合住宅およびその利用システムを提供する。【解決手段】一般住戸Ｃとは別に安眠室Ａを備えてなる集合住宅Ｍで、安眠室Ａが集合住宅の住人の共用で利用できる共用室とされ、安眠室Ａを予約する安眠室自動予約システムＳを備えてなるものである。安眠室自動予約システムＳは、例えば、自動予約装置２０と、予約券発券機３０と、予約券読取機４０と、カードキー発行機５０と、安眠室ＡのドアＤに設置されたカードキーロック装置６０とを含むものとされる。【選択図】図１
2014115918.tif 000002
【特許請求の範囲】
【請求項１】
一般住戸とは別に安眠室を備えてなることを特徴とする集合住宅。
【請求項２】
安眠室が集合住宅の住人の共用で利用できる共用室とされ、前記安眠室を予約する安眠室自動予約システムを備えてなることを特徴とする請求項１記載の集合住宅。
【請求項３】
安眠室自動予約システムが、自動予約処理部とロック解除手段生成部とを備え、
前記自動予約処理部は、入力に応答して予約データを生成するものとされ、
前記ロック解除手段生成部は、前記予約データに基づいて安眠室の電磁的ロック装置のロックを解除するロック解除手段を生成するものとされてなる
ことを特徴とする請求項２記載の集合住宅。
【請求項４】
自動予約処理部は、通信回線を介して予約または予約取消がなし得るようにされてなることを特徴とする請求項３記載の集合住宅。
【請求項５】
ロック解除手段生成部が表示部を有し、自動予約処理部が前記表示部の表示処理をなす表示処理部を有してなることを特徴とする請求項３記載の集合住宅。
【請求項６】
自動予約処理部が集合住宅の管理人室に配設され、ロック解除手段生成部がエントランスに配設されてなることを特徴とする請求項３記載の集合住宅。
【請求項７】
安眠室自動予約システムが、自動予約装置と、予約券発券機と、予約券読取機と、カードキー発行機と、安眠室のドアに設置されたカードキーロック装置とを含むことを特徴とする請求項２記載の集合住宅。
【請求項８】
自動予約装置と予約券発券機と予約券読取機とカードキー発行機とが集合住宅のエントランスに配設されてなることを特徴とする請求項７記載の集合住宅。
【請求項９】
自動予約装置と予約券発券機と予約券読取機とカードキー発行機とがタンデム構成とされてなることを特徴とする請求項８記載の集合住宅。
【請求項１０】
予約券発券機と予約券読取機とが一体化されてなることを特徴とする請求項７記載の集合住宅。
【請求項１１】
自動予約装置がタッチパネルを有してなることを特徴とする請求項７記載の集合住宅。
【請求項１２】
安眠室が一定時間毎の交代利用制とされてなることを特徴とする請求項１記載の集合住宅。
【請求項１３】
複数の安眠室が設けられてなることを特徴とする請求項１記載の集合住宅。
【請求項１４】
一般住戸とは別に設けられた安眠室が住人の共用で利用できる共用室とされた集合住宅における安眠室自動予約システムであって、
自動予約処理部と、ロック解除手段生成部と、安眠室に設けられた電磁的ロック装置とを備え、
前記自動予約処理部は、入力に応答して予約データを生成するものとされ、
前記ロック解除手段生成部は、前記予約データに基づいて前記電磁的ロック装置のロックを解除するロック解除手段を生成するものとされてなる
ことを特徴とする安眠室自動予約システム。
【請求項１５】
自動予約処理部は、通信回線を介して予約または予約取消がなし得るようにされてなることを特徴とする請求項１４記載の安眠室自動予約システム。
【請求項１６】
ロック解除手段生成部が表示部を有し、自動予約処理部が前記表示部の表示処理をなす表示処理部を有してなることを特徴とする請求項１４記載の安眠室自動予約システム。
【請求項１７】
一般住戸とは別に設けられた安眠室が住人の共用で利用できる共用室とされた集合住宅における安眠室自動予約システムであって、
自動予約装置と、予約券発券機と、予約券読取機と、カードキー発行機と、安眠室のドアに設置されたカードキーロック装置とを備え、
前記自動予約装置が、入力手段と、出力手段と、演算処理部と、データベースとを備えてなることを特徴とする安眠室自動予約システム。
【請求項１８】
入力手段と出力手段とがタッチパネルに構成されてなることを特徴とする請求項１７記載の安眠室自動予約システム。
【請求項１９】
演算処理部が、入出力処理部と、表示処理部と、予約処理部と、予約券発券処理部と、カードキー発行処理部とを有してなることを特徴とする請求項１７または１８記載の安眠室自動予約システム。
【請求項２０】
ロック解除手段またはカードキーに利用可能時間が設定されてなることを特徴とする請求項１４または１７記載の安眠室自動予約システム。
【発明の詳細な説明】
【技術分野】
【０００１】
本発明は、集合住宅およびその利用システムに関する。さらに詳しくは、快適な睡眠が提供される安眠室が独立に確保されている集合住宅活およびその利用システムに関する。
【背景技術】
【０００２】
人は、日の出とともにおき、日が沈むと寝るようにするのが最も自然な姿である。
【０００３】
しかるに、文明の発達により、人は自然な姿からかけ離れた状態で生活にするようになってきている。それに伴いさまざまな問題が生じてきている。その一つが、夜間勤務のために生ずる睡眠不足による悪影響である。
【０００４】
例えば、運賃が低額で人気なものの一つにツアーバスがあるが、運転手は夜間に運転するため、居眠り運転を起こしやすい。現に、運転手の居眠り運転による事故により、多数の人命が失われる事態も生じている。
【０００５】
また、いわゆる三交代制の勤務により不規則な生活を余儀なくされ、それによる睡眠不足のために体調を損なっている人も存在している。
【０００６】
かかる文明人の睡眠不足による悪影響を解消するため、快適な睡眠環境を提供すべく種々の提案がなされている。
【０００７】
例えば、特許文献１には、快適な睡眠が確実に得られる寝室環境システムが提案されている。
【０００８】
また、特許文献２には、就寝者が深い睡眠状態で可及的に長く睡眠できる環境制御装置が提案されている。
【０００９】
しかしながら、前記各提案においては、交代勤務明けで快適な睡眠を得たい人などが気軽に利用できる施設については、何等の提案もなされていない。
【００１０】
なお、タイムシェアマンションの利用システムに関しては、特許文献３に提案がなされている。
【先行技術文献】
【特許文献】
【００１１】
【特許文献１】特許第４６０３４６６号公報
【特許文献２】特開２００７−１９８６５３号公報
【特許文献３】特開２００６−１８９９８５号公報
【発明の開示】
【発明が解決しようとする課題】
【００１２】
本発明はかかる従来技術の課題に鑑みなされたものであって、交代勤務あけの人々などが気軽に利用でき、しかも快適な睡眠が得られる集合住宅およびその利用システムを提供することを目的としている。
【課題を解決するための手段】
【００１３】
本発明の集合住宅は、一般住戸とは別に安眠室を備えてなることを特徴とする。
【００１４】
本発明の集合住宅においては、安眠室が集合住宅の住人の共用で利用できる共用室とされ、前記安眠室を予約する安眠室自動予約システムを備えてなるのが好ましい。
【００１５】
また、本発明の集合住宅においては、安眠室自動予約システムが、自動予約処理部とロック解除手段生成部とを備え、前記自動予約処理部は、入力に応答して予約データを生成するものとされ、前記ロック解除手段生成部は、前記予約データに基づいて安眠室の電磁的ロック装置のロックを解除するロック解除手段を生成するものとされる。
【００１６】
その場合、自動予約処理部は、通信回線を介して予約または予約取消がなし得るようにされてなるのが好ましい。また、ロック解除手段生成部が表示部を有し、自動予約処理部が前記表示部の表示処理をなす表示処理部を有してなるのも好ましい。また、自動予約処理部が集合住宅の管理人室に配設され、ロック解除手段生成部がエントランスに配設されてなるのも好ましい。
【００１７】
また、本発明の集合住宅においては、安眠室自動予約システムが、自動予約装置と、予約券発券機と、予約券読取機と、カードキー発行機と、安眠室のドアに設置されたカードキーロック装置とを含むものとされてもよい。
【００１８】
その場合、自動予約装置と予約券発券機と予約券読取機とカードキー発行機とが集合住宅のエントランスに配設されてなるのが好ましい。また、自動予約装置と予約券発券機と予約券読取機とカードキー発行機とがタンデム構成とされてなるのも好ましい。また、予約券発券機と予約券読取機とが一体化されてなるのも好ましい。また、自動予約装置がタッチパネルを有してなるのも好ましい。
【００１９】
また、本発明の集合住宅においては、安眠室が一定時間毎の交代利用制とされてなるのが好ましい。
【００２０】
また、本発明の集合住宅においては、複数の安眠室が設けられてなるのが好ましい。
【００２１】
一方、本発明の安眠室自動予約システムの第１形態は、一般住戸とは別に設けられた安眠室が住人の共用で利用できる共用室とされた集合住宅における安眠室自動予約システムであって、自動予約処理部と、ロック解除手段生成部と、安眠室に設けられた電磁的ロック装置とを備え、前記自動予約処理部は、入力に応答して予約データを生成するものとされ、前記ロック解除手段生成部は、前記予約データに基づいて前記電磁的ロック装置のロックを解除するロック解除手段を生成するものとされてなることを特徴とする。
【００２２】
その場合、自動予約処理部は、通信回線を介して予約または予約取消がなし得るようにされてなるのが好ましい。また、ロック解除手段生成部が表示部を有し、自動予約処理部が前記表示部の表示処理をなす表示処理部を有してなるのも好ましい。
【００２３】
本発明の安眠室自動予約システムの第２形態は、一般住戸とは別に設けられた安眠室が住人の共用で利用できる共用室とされた集合住宅における安眠室自動予約システムであって、自動予約装置と、予約券発券機と、予約券読取機と、カードキー発行機と、安眠室のドアに設置されたカードキーロック装置とを備え、前記自動予約装置が、入力手段と、出力手段と、演算処理部と、データベースとを備えてなることを特徴とする。
【００２４】
その場合、入力手段と出力手段とがタッチパネルに構成されてなるのが好ましい。また、演算処理部が、入出力処理部と、表示処理部と、予約処理部と、予約券発券処理部と、カードキー発行処理部とを有してなるのも好ましい。
【００２５】
また、本発明の安眠室自動予約システムにおいては、ロック解除手段またはカードキーに利用可能時間が設定されてなるのが好ましい。
【発明の効果】
【００２６】
本発明の集合住宅は、前記の如く構成されているので、夜勤明けの居住者は安眠室で家族に煩わされることなく充分な睡眠を確保することができるという優れた効果を奏する。
【００２７】
また、本発明の安眠室自動予約システムは、前記の如く構成されているので、安眠室の予約管理が無人でなし得るという優れた効果を奏する。
【図面の簡単な説明】
【００２８】
【図１】本発明の一実施形態に係る集合住の平面概略図である。
【図２】同実施形態に係る安眠室の平面図である。
【図３】同立面図である。
【図４】コントロールパネルのブロック図である。
【図５】安眠室自動予約システムのブロック図である。
【図６】自動予約装置と予約券発券機と予約券読取機とカードキー発行機とをタンデムに構成した例の概略図である。
【図７】自動予約装置のブロック図である。
【図８】演算処理装置のブロック図である。
【図９】データベースのブロック図である。
【図１０】予約券の一例の概略図である。
【図１１】カードキーの一例の概略図である。
【図１２】カードキーロック装置の概略図である。
【図１３】タッチパネルの待ち受け画面の一例の概略図である。
【図１４】タッチパネルに表示される予約状況一覧の一例の概略図である。
【図１５】タッチパネルに表示される予約確認画面の一例の概略図である。
【図１６】タッチパネルに表示される予約取消確認画面の一例の概略図である。
【図１７】本発明の実施形態３の要部ブロック図である。
【図１８】同詳細ブロック図である。
【図１９】同概略配置図である。
【図２０】同実施形態における自動予約処理部のブロック図である。
【図２１】同実施形態におけるロック解除手段生成部のブロック図である。
【図２２】同実施形態におけるデータベースのブロック図である。
【発明を実施するための形態】
【００２９】
以下、添付図面を参照しながら本発明を実施形態に基づいて説明するが、本発明はかかる実施形態のみに限定されるものではない。
【００３０】
実施形態１
図１に、本発明の実施形態１に係る集合住宅Ｍを示す。
【００３１】
集合住宅Ｍは、図１に示すように、一般居住室(一般住戸)Ｃの他に快適な睡眠が得られるように設計された安眠室Ａを備えてなるものとされる。ここで、安眠室Ａは一定時間毎の交代利用制とされている。また、安眠室Ａは複数室設けられていて、ある安眠室Ａが清掃中やベッドメイク中であっても他の安眠室Ａで就寝ができるようにされている。さらに、安眠室Ａは、集合住宅Ｍの住民が共用で利用できる共用室とされている。
【００３２】
安眠室Ａは、快適な睡眠を実現させるため、高度の防音機能を有するように構成され、窓が設けられる場合には窓は防音窓、例えばペアガラスによる防音窓とされる。なお、防音性および遮光性の観点からは、窓は設けられないのが望ましい。
【００３３】
図２および図３に、かかる安眠室Ａの一例を示す。
【００３４】
安眠室Ａは、図２および図３に示すように、通常の居室と同様に、ベッド１が設けられるとともに、トイレ・バスユニット２が設けられている。その他に、快適な睡眠を確保するために、高濃度酸素発生器３、加湿空気清浄機４、高機能エアコン５、調光システム６、音響装置７、映像装置８、芳香装置９などが設けられている。高濃度酸素発生器３、加湿空気清浄機４および芳香装置９は床の適宜位置に配置され、調光システム６および音響装置７は天井の適宜位置に配置され、高機能エアコン５は壁の適宜位置に配置され、映像装置８はベッド１から見やすい位置に配置される。図中、符号Ｄはドアを示す。
【００３５】
また、前記各装置および機器は、ベッド１に付設されたコントロールパネル１ａから遠隔操作できるようにされている。すなわち、コントロールパネル１ａは、図４に示すように、高濃度酸素発生器制御部１１、加湿空気清浄機制御部１２、エアコン制御部１３、調光システム制御部１４、音響装置制御部１５、映像装置制御部１６および芳香装置制御部１７を備えてなるものとされる。
【００３６】
高濃度酸素発生器３は、酸素不足の利用者を酸素不足から解放して疲労を回復される効果が期待される。森林の減少および化石燃料を燃焼させる自動車などの増大により、現代人は一種の酸素不足に陥っているところから、高濃度酸素発生器３は充分な睡眠を確保して疲労回復をさせる機器として必用不可欠なものと想定される。
【００３７】
加湿空気清浄機４は、湿度を適度に保ちながら室内の空気の浄化が期待される。適度な湿度は快適な睡眠を得るために必要不可欠である想定される。
高機能エアコン５は、ダニの糞やダニの死骸から発生する浮遊アレル物質を抑制する効果を発揮するエアコンとされる。
【００３８】
高濃度酸素発生器３、加湿空気清浄機４および高機能エアコン５の協働により、安眠室においては森林浴に似た効果が得られることが期待される。
調光システム６は、快適な眠りおよび快適な目覚めを促すよう調光される。
【００３９】
音響装置７は、リラックス効果のあるＢＧＭ(バックグラウンドミュージック)を流すようにされている。
【００４０】
映像装置８は、癒し効果のある映像を流すようにされている。
芳香装置９は、気分をリラックスさせる香を放散するようにされている。
【００４１】
このように、本実施形態によれば、独立した安眠室Ａが集合住宅Ｍに設けられているので、夜勤明けの居住者は、安眠室Ａで家族に煩わされることなく充分な睡眠を確保することができて疲労回復もなし得る。
【００４２】
実施形態２
本発明の実施形態２を図５にブロック図で示す。
【００４３】
実施形態２は実施形態１を改変してなるものであって、安眠室Ａが効率よく利用されるよう安眠室自動予約システムＳを備えてなるものとされる。
【００４４】
安眠室自動予約システムＳは、図５に示すように、自動予約装置２０と、予約券発券機３０と、予約券読取機４０と、カードキー発行機５０と、各安眠室ＡのドアＤに設置されたカードキーＣＫにより開錠されるカードキーロック装置６０と、を主要構成要素として備えてなるものとされる。自動予約装置２０、予約券発券機３０、予約券読取機４０およびカードキー発行機５０は、集合住宅Ｍのエントランスに、例えば図６に示すように、タンデム装置Ｔに構成されて設置される。
【００４５】
自動予約装置２０は、図７に示すように、タッチパネル２１と演算処理部２２とデータベース２３とを有するコンピュータとされる。なお、タッチパネル２１に替えてキーボードやマウスと画像表示装置との組み合わせとされてもよい。
【００４６】
演算処理装置２２は、図８に示すように、タッチパネル表示処理部２２ａと、予約処理部２２ｂと、予約券発券処理部２２ｃと、予約券読取処理部２２ｄと、カードキー発行処理部２２ｅとを含むものとされる。なお、タッチパネル２１に替えてキーボードやマウスと画像表示装置との組み合わせが用いられた場合には、タッチパネル表示処理部２２ａに替えて、キーボードからの入力および画像表示装置への出力を処理する入出力処理部が設けられるものとされる。
【００４７】
タッチパネル表示処理部２２ａは、タッチパネルに表示されるボタンやメッセージの表示処理をなすようプログラムされてなるものとされる。
【００４８】
予約処理部２２ｂは、タッチパネルの「予約」ボタン(図１３参照)の押下に応答して後述する予約処理および予約取消処理をなすようプログラムされてなるものとされる。なお、タッチパネル２１に替えてキーボードやマウスと画像表示装置との組み合わせが用いられた場合には、画像表示装置に表示されている「予約」ボタンの選択に応答して後述する予約処理および予約取消処理をなすようプログラムされてなるものとされる。
【００４９】
予約処理部２２ｂにより処理された予約は、データベース２３の予約データ格納部２３ａに格納される一方、取り消された予約は予約データ格納部２３ａに格納されている予約データから消去される(図９参照)。
【００５０】
予約券発券処理部２２ｃは、予約処理部２２ｂにおいて確定された予約情報を予約券発券機３０に送給するようプログラムされてなるものとされる。
【００５１】
予約券読取処理部２２ｄは、予約券読取機４０から送給された予約券ＣＤ(図１０参照)のデータを予約処理部２２ｂまたはカードキー発行処理部２２ｅに送給するようプログラムされてなるものとされる。つまり、タッチパネル２１の「予約取消」ボタン(図１３参照)が押下された場合には、予約券ＣＤのデータは予約処理部２２ｂに送給される一方、タッチパネル２１の「利用」ボタン(図１３参照)が押下された場合には、予約券ＣＤのデータはカードキー発行処理部２２ｅに送給される。
【００５２】
カードキー発行処理部２２ｅは、予約券ＣＤのデータをカードキー発行機５０に送給するようプログラムされてなるものとされる。
【００５３】
データベース２３は、図９に示すように、予約データ格納部２３ａとボタンデータ格納部２３ｂとメッセージデータ格納部２３ｃとを含むものとされる。
【００５４】
予約データ格納部２３ａには、予約データが格納される。
【００５５】
ボタンデータ格納部２３ｂには、タッチパネル２１に表示される「予約」ボタン、「予約取消」ボタン、「利用」ボタンなどのボタンデータが格納される。
【００５６】
メッセージデータ格納部２３ｃには、「予約券を予約券読取機に挿入してください。」などのタッチパネル２１に表示されるメッセージなどのデータが格納される。
【００５７】
予約券発券機３０は、自動予約装置２０と通信ケーブルを介して接続され、自動予約装置２０からの指令により予約券ＣＤを発券する機能を有するものとされる。図１０に、予約券ＣＤの一例を示す。予約券ＣＤには、図１０に示すように、予約番号、安眠室番号、利用日および利用時間帯が印字されている
予約券読取機４０は、自動予約装置２０と通信ケーブルを介して接続され、読み取った予約データを自動予約装置２０に送信する機能を有するものとされる。
【００５８】
カードキー発行機５０は、自動予約装置２０と通信ケーブルを介して接続され、自動予約装置２０からの指令によりカードキーＣＫを発券する機能を有するものとされる。図１１に、カードキーＣＫの一例を示す。カードキーＣＫには、図１１に示すように、安眠室番号、利用日および利用時間帯が印字されている。
【００５９】
カードキーロック装置６０は、図１２に示すように、ドアＤの室外側に取り付けられ、カードキー挿入口６２を有するカード挿入部６１と、ドアＤの室内側に取り付けられるロック装置本体６３とを含むものとされる。ロック装置本体６３は、挿入されたカードキーＣＫが真正なものか否か判定する機能および挿入されたカードキーＣＫが利用可能か否かを判定する機能も有するものとされる。例えば、挿入されたカードキーＣＫが、利用可能時間帯のものか否かを判定する機能も有するものとされる。
【００６０】
次に、かかる構成とされた安眠室自動予約システムＳによる安眠室Ａの予約について説明する。
【００６１】
手順１：自動予約装置２０のタッチパネル２１の待ち受け画面に表示されている「予約」ボタンを押下する(図１３参照)。
【００６２】
手順２：自動予約装置２０は、「予約」ボタンを押下に応答して予約状況一覧をタッチパネル２１に表示する(図１４参照)。図中、符号１は１部を示し、符号２は２部を示し、符号３は３部を示す。例えば、１部は０時〜８時とされ、２部は８時〜１６時とされ、３部は１６時〜２４時とされる。なお、各部の最後の一時間は、例えば清掃時間帯とされる。
【００６３】
手順３：タッチパネル２１に表示される予約状況を参照しながら、空いている日の希望する時間帯を予約する。この予約は、予約状況一覧の当該部を押下することによりなされる。
【００６４】
手順４：自動予約装置２０は、予約時間帯の押下に応答して予約確認画面を表示する(図１５参照)。この表示画面には、図１５に示すように、「確認」ボタンおよび「変更」ボタンが含まれている。
【００６５】
手順５：自動予約装置２０は、「確認」ボタンが押下された場合、それに応答してタッチパネル２１に「予約が完了しました。」とのメッセージを表示するとともに、予約券発券機３０に予約券の発券を指令する。一方、「変更」ボタンが押下された場合、予約状況一覧をタッチパネル２１に表示して手順３に戻る。
【００６６】
手順６：予約券発券機３０は、自動予約装置２０からの入力に基づいて予約券を発券する。
【００６７】
これらの一連の手順により予約が完了する。
【００６８】
次に、かかる構成とされた安眠室自動予約システムＳによる安眠室Ａの予約取消について説明する。
【００６９】
手順１１：自動予約装置２０のタッチパネル２１の待ち受け画面に表示されている「予約取消」ボタンを押下する(図１３参照)。
【００７０】
手順１２：自動予約装置２０は、「予約取消」ボタンを押下に応答して、タッチパネル２１に予約券ＣＤの予約券読取機４０における読み取りを促すメッセージを表示する。例えば、「予約券を予約券読取機に挿入してください。」というようなメッセージを表示する。
【００７１】
手順１３：予約券読取機４０は、挿入された予約券ＣＤのデータを自動予約装置２０に送給する。
【００７２】
手順１４：自動予約装置２０は、予約券読取機４０から入力されたデータに基づいて予約日、予約時間帯および予約室をタッチパネル２１に表示する(図１６参照)。この表示画面には、図１６に示すように、「取消確認」ボタンが含まれている。
【００７３】
手順１５：自動予約装置２０は、「取消確認」ボタンを押下に応答して、予約データ格納部２３ａに格納されている予約データから当該予約データを消去する。
【００７４】
これらの一連の手順により予約取消が完了する。
【００７５】
次に、予約券ＣＤによる安眠室Ａの利用について説明する。
【００７６】
手順２１：自動予約装置２０のタッチパネル２１の待ち受け画面に表示されている「利用」ボタンを押下する(図１３参照)。
【００７７】
手順２２：自動予約装置２０は、「利用」ボタンの押下に応答して、タッチパネル２１に予約券ＣＤの予約券読取機４０における読み取りを促すメッセージを表示する。例えば、「予約券を予約券読取機に挿入してください。」というようなメッセージを表示する。
【００７８】
手順２３：予約券読取機４０は、挿入された予約券ＣＤのデータを自動予約装置２０に送給する。
【００７９】
手順２４：自動予約装置２０は、予約券読取機４０から入力されたデータに基づいて、カードキーＣＫが発行可能な時間帯か否か判定する。ここで、カードキーが発行可能な時間帯は、例えば、利用開始可能時間の３０分前から利用開始可能時間の４時間後までの間とされる。
【００８０】
手順２５：自動予約装置２０は、カードキー発行可能な時間帯であると判定した場合、カードキーＣＫの発行をカードキー発行機５０に指令する一方、カードキーＣＫが発行可能な時間帯でないと判定した場合、カードキーＣＫが発行できない旨をタッチパネル２１に表示する。例えば、カードキー発行開始時前であれば、「後何分後に再度利用操作をお願いします。」とのメッセージをタッチパネル２１に表示する一方、利用開始可能時間から４時間以上が経過していれば、「本日のご利用はできません。」とのメッセージをタッチパネル２１に表示する。
【００８１】
しかして、カードキーＣＫが発行された場合、利用者は発行されたカードキーＣＫを利用し、当該安眠室Ａのカードキーロック装置６０を開錠して同安眠室Ａで充分な睡眠を確保できる。
【００８２】
このように、本実施形態によれば、安眠室Ａの予約およびその利用が自動的になし得るので、安眠室Ａを別個に設けたことによる管理負担を必要最小限に抑えることができる。
【００８３】
実施形態３
本発明の実施形態３を図１７に要部ブロック図で示す。
【００８４】
実施形態３は、実施形態２を改変してなるものであって、図１７に示すように、通信回線Ｎを利用して携帯電話、スマートフォン、モバイルパソコンなどの携帯端末７０により安眠室自動予約システムＳにアクセスして予約などがなし得るようにされてなるものとされる。ここで、通信回線Ｎは、例えば電話回線やインターネットとされる。図中、符号Ｑは中継器を示す。
【００８５】
以下、実施形態３の実施形態２と異なる点を中心に説明する。
【００８６】
安眠室自動予約システムＳは、図１８（ａ）に示すように、自動予約処理部１１０とロック解除手段生成部１２０とデータベース１３０とを備えてなるものとされる。一方、携帯端末７０は、通常の携帯電話における通信機能の他に、図１８（ｂ）に示すように、モバイルＩＣチップ７１と、モバイルＩＣチップ処理部７２と、表示部７３とを備えてなるものとされる。ここで、自動予約処理部１１０およびデータベース１３０は、例えば図１９に示すように、集合住宅Ｍの管理室に設置され、ロック解除手段生成部１２０は、管理室の窓口のカウンターに設置されるものとされる。また、モバイルＩＣチップ７１は、例えば接触型や近接型などとされる。
【００８７】
自動予約処理部１１０は、図２０に示すように、通信制御手段１４０と、入出力制御手段１５０と、アクセス処理手段１６０と、予約処理手段１７０とを含むものとされる。
通信制御手段１４０は、通信回線Ｎを介して携帯端末７０との通信の制御をなすものとされる。
【００８８】
入出力制御手段１５０は、自動予約処理部１１０およびロック解除手段生成部１２０の入出力を制御するものとされる。入出力制御手段１５０は表示処理部１５１およびモバイルＩＣチップ制御部１５２を有し、表示処理部１５１は後述するロック解除手段生成部１２０の表示部における表示処理をなすものとされ、モバイルＩＣチップ制御部１５２はモバイルＩＣチップ処理部７２に対する指令を生成するものとされる。モバイルＩＣチップ制御部１５２は、例えば、利用者登録情報、識別番号、パスワード、予約情報などの情報をモバイルＩＣチップ７１に登録するための指令を生成するものとされる。利用者登録情報、識別番号、パスワード、予約情報などの情報は、入出力制御手段１５０により前記指令に付加されて通信制御手段１４０により該当する携帯端末７０に送信される。
【００８９】
アクセス処理手段１６０は、携帯端末７０からのアクセスを処理するものとされる。例えば、安眠室自動予約システムＳを利用するための利用者登録、登録利用者に対する識別番号の付与およびパスワードの発行などの処理もなすものとされる。
【００９０】
予約処理手段１７０は、携帯端末７０からの入力に基づいて実施形態２の予約処理部２２ｂと同様の処理をなすものとされる。
【００９１】
ロック解除手段生成部１２０は、図２１に示すように、表示部１２１と、モバイルＩＣチップ制御手段１２２と、電磁ロック解除手段生成処理手段１２３と、電磁ロック解除コード保持部１２４とを含むものとされる。
【００９２】
モバイルＩＣチップ制御手段１２２は、ロック解除手段生成部１２０にタッチなどされた携帯端末７０のモバイルＩＣチップ７１からの情報を読み取るとともに、電磁ロック解除手段生成処理手段１２３により生成された電磁ロック解除手段のモバイルＩＣチップ７１における形成を指令するものとされる。
【００９３】
電磁ロック解除手段生成処理手段１２３は、モバイルＩＣチップ制御手段１２２により読み取られたモバイルＩＣチップ７１の予約情報に基づいて、電磁ロック解除コード保持部１２４に保持されている電磁ロック解除コード群から該当する電磁ロック解除コードを選択し、その選択された電磁ロック解除コードに利用時間帯の制限を付加して所定の電磁ロック解除手段を生成するものとされる。
【００９４】
電磁ロック解除コード保持部１２４は、当該集合住宅Ｍにおける各安眠室Ａの電磁ロック解除コードを保持するものとされる。
【００９５】
データベース１３０は、図２２に示すように、住民データ格納部１３１と、利用者データ格納部１３２と、フォーマットデータ格納部１３３と、予約データ格納部１３４と、ボタンデータ格納部１３５と、メッセージデータ格納部１３６とを含むものとされる。
【００９６】
住民データ格納部１３１は、当該安眠室Ａが設けられている集合住宅Ｍの住民のデータを格納するものとされる。格納されるデータは、例えば、住民の氏名および部屋番号とされる。
【００９７】
利用者データ格納部１３２は、安眠室Ａを利用する住民のデータを格納するものとされる。格納されるデータは、例えば、利用者の氏名、部屋番号、利用者の識別番号、利用者のパスワードとされる。
【００９８】
フォーマットデータ格納部１３３は、利用者登録がなされているかの確認をなす利用者登録確認フォーマット、利用者を登録する際に必要データが記入される利用者登録フォーマット、予約処理手段１７０にログインする際に必要データが記入されるログインフォーマットなどを作成するためのフォーマットデータを格納するものとされる。
【００９９】
利用者登録確認フォーマットには、例えば、利用者登録の有無の確認欄が設けられている。
【０１００】
利用者登録フォーマットには、例えば、氏名記入欄および部屋番号記入欄が設けられている。
【０１０１】
ログインフォーマットには、例えば、識別番号記入欄およびパスワード記入欄が設けられている。
【０１０２】
なお、予約データ格納部１３４、ボタンデータ格納部１３５およびメッセージデータ格納部１３６に格納されるデータは、実施形態２と同様とされている。
【０１０３】
以下、かかる構成とされた安眠室自動予約システムＳの利用について説明する。
【０１０４】
まず、利用者登録について説明する。
【０１０５】
手順３１: 携帯端末７０から安眠室自動予約システムＳに対するアクセスに応答し、安眠室自動予約システムＳからアクセスしている携帯端末(以下、該当端末という)７０に利用者登録確認フォーマットを送信する。つまり、該当端末７０からのアクセス信号は、通信制御手段１４０および入出力制御手段１５０を介してアクセス処理手段１６０に送給され、アクセス処理手段１６０は送給されてきたアクセス信号に応答してフォーマットデータ格納部１３３に格納されている利用者登録確認フォーマットデータに基づいて利用者登録確認フォーマットを作成し、同フォーマットを入出力制御手段１５０および通信制御手段１４０を介して該当端末７０に送信する。
【０１０６】
手順３２: 利用者登録確認フォーマットを受信した該当端末７０からの「なし」との応答に基づいて、自動予約処理部１１０は利用者登録処理をする。つまり、該当端末７０からの回答は、通信制御手段１４０および入出力制御手段１５０を介してアクセス処理手段１６０に送給され、アクセス処理手段１６０は送給されてきた回答に応答してフォーマット格納部１３３に格納されている利用者登録フォーマットデータに基づいて利用者登録フォーマットを作成し、同フォーマットを入出力制御手段１５０および通信制御手段１４０を介して該当端末に送信する。
【０１０７】
手順３３: 該当端末７０から所定事項が記載された利用者登録フォーマットの返信に応答して、自動予約処理部１１０は利用者情報を作成して登録する。つまり、該当端末７０からの返答は通信制御手段１４０および入出力制御手段１５０を介してアクセス処理手段１６０に送給され、アクセス処理手段１６０は返答に基づいて利用者情報を作成して利用者データ格納部１３２に格納する。
【０１０８】
手順３４: 自動予約処理部１１０は、作成した利用者情報を該当端末７０に送信する。つまり、アクセス処理手段１６０は、作成した利用者情報(利用者氏名、部屋番号、識別番号、パスワードなど)を入出力制御手段１５０および通信制御手段１４０を介して該当端末７０に送信する。
【０１０９】
該当端末７０は、自動予約処理部１１０から送信されてきた利用者情報をモバイルＩＣチップ処理部７２を介してモバイルＩＣチップ７１に格納する。これにより、利用者登録が完了する。
【０１１０】
次に、安眠室Ａの予約について説明する。
【０１１１】
手順４１:携帯端末７０から安眠室自動予約システムＳにアクセスする。つまり、安眠室自動予約システムＳの自動予約処理部１１０にアクセスする。
【０１１２】
手順４２: 自動予約処理部１１０は、アクセスに応答して該当端末７０に識別番号およびパスワードの入力を要求する。つまり、アクセス処理手段１６０は、ログインフォーマットデータに基づいてログインフォーマットを作成し、入出力制御手段１５０および通信制御手段１４０を介して該当端末７０に送信する。（なお、利用者登録がなされていない場合には、利用者登録を促すメッセージを該当端末７０に表示して利用者登録を促す。）
【０１１３】
手順４３: 自動予約処理部１１０は、識別番号およびパスワードの入力に応答して予約処理をなす。つまり、アクセス処理手段１６０は、識別番号およびパスワードの入力に応答して入出力制御手段１５０および通信制御手段１４０を介して予約状況一覧(図１４参照)を該当端末７０に送信する。（なお、識別番号およびパスワードが誤っている場合、再度の入力を促し、それでも誤っている場合には、自動予約処理部１１０はアクセスを遮断する。）
【０１１４】
手順４４: 自動予約処理部１１０は、予約状況一覧における予約の選択に応答して予約確定処理をする。つまり、アクセス処理手段１６０は、通信制御手段１４０および入出力制御手段１５０を介して送給されてきた予約状況一覧により予約データ格納部１３４に格納されている予約状況一覧を更新して予約を確定する。
【０１１５】
手順４５: 自動予約処理部１１０は、確定した予約を該当端末７０に送信する。つまり、アクセス処理手段１６０は、利用者氏名、予約番号、予約日、予約室番号、利用時間を入出力制御手段１５０および通信制御手段１４０を介して該当端末７０に送信する。
【０１１６】
以下、確定した予約を受信した該当端末７０がモバイルＩＣチップ処理部７２の処理により利用者氏名、予約番号、予約日、予約室番号、利用時間をモバイルＩＣチップ７１に格納して予約処理が完了する。
【０１１７】
次に、安眠室Ａの利用について説明する。
【０１１８】
手順５１:利用者の携帯端末７０のロック解除手段生成部１２０へのタッチまたは近接により、当該端末７０のモバイルＩＣチップ７１に格納されている予約情報を取得する。つまり、モバイルＩＣチップ制御手段１２２は、当該端末７０のモバイルＩＣチップ処理部７２に指令してモバイルＩＣチップ７１に格納されている予約データを読み込む。
【０１１９】
手順５２: ロック解除手段生成部１２０は取得した予約データからロック解除手段を生成すべきか否か判定する。つまり、モバイルＩＣチップ制御手段１２２は読み込んだ予約データに基づいて、ロック解除手段を生成できる時間帯であるか否かを判定する。
【０１２０】
手順５３: ロック解除手段生成部１２０は、ロック解除手段を生成すべきと判定した場合、電磁ロック解除手段を利用時間の制限を付与して生成する一方、ロック解除手段生成部１２０は、ロック解除手段を生成すべきでないと判定した場合、その旨を表示部１２１に表示する。つまり、ロック解除手段を生成すべきと判定した場合、電磁ロック解除手段生成処理手段１２３は、電磁ロック解除コード保持部１２４に保持されている予約された安眠室Ａの電磁ロック解除コードに基づいて、当該安眠室Ａの電磁ロック解除手段を利用時間の制限を付与して生成する。一方、ロック解除手段を生成すべきでないと判定した場合、その旨を自動予約処理部１１０の入出力制御手段１５０に送給する。入出力制御手段１５０の表示処理部１５１は、送給されてきたデータに基づいてメッセージデータ格納部１３６に格納されているメッセージデータから該当するメッセージデータを選定してメッセージを作成し、ロック解除手段生成部１２０の表示部１２１に送給する。表示部１２１は送給されたメッセージを表示する。なお、表示されるメッセージは実施形態２と同様とされている。
【０１２１】
手順５４: ロック解除手段生成部１２０は生成したロック解除手段を該当端末７０に送給する。つまり、モバイルＩＣチップ制御手段１２２は、該当端末７０のモバイルＩＣチップ処理部７２にロック解除手段の形成を指令する。
【０１２２】
手順５５: バイルＩＣチップ処理部７２は、モバイルＩＣチップ制御手段１２２からの指令に応答してモバイルＩＣチップ７１に利用時間の制限が付与されたロック解除手段を形成してその旨を当該端末７０の表示部７３に表示する。
【０１２３】
これにより、予約しておいた安眠室Ａの利用が可能となる。
【０１２４】
以上、本発明を実施形態に基づいて説明してきたが、本発明はかかる実施形態のみに限定されるものではなく、種々改変が可能である。
【０１２５】
例えば、実施形態では予約券発券機３０と予約券読取機４０とは別個に設けられているが、予約券発券機３０と予約券読取機４０とは一体化されて予約券発券読取機とされてもよい。
【産業上の利用可能性】
【０１２６】
本発明は住宅産業に利用できる。
【符号の説明】
【０１２７】
Ａ      安眠室
Ｃ      一般住戸
ＣＤ    予約券
ＣＫ    カードキー
Ｄ      ドア
Ｍ      集合住宅
Ｓ      安眠室自動予約システム
Ｔ      タンデム装置
１      ベッド
１ａ    コントロールパネル
２      バス・トイレユニット
３      高濃度酸素発生器
４      加湿空気清浄機
５      高機能エアコン
６      調光システム
７      音響装置
８      映像装置
９      映像装置
１１      濃度酸素発生器制御部
１２      加湿空気清浄機制御部
１３      エアコン制御部
１４      調光システム制御部
１５      音響装置制御部
１６      映像装置制御部
１７      芳香装置制御部
２０      自動予約装置
２１      タッチパネル
２２      演算処理部
２２ａ    タッチパネル表示処理部
２２ｂ    予約処理部２２ｂ
２２ｃ    予約券発券処理部
２２ｄ    予約券読取処理部
２２ｅ    カードキー発行処理部
２３      データベース
３０      予約券発券機
４０      予約券読取機
５０      カードキー発行機
６０      カードキーロック装置
６１      カードキー挿入部
６２      カードキー挿入口
６３      ロック装置本体
７０      携帯端末
７１      モバイルＩＣチップ
７２      モバイルＩＣチップ処理部
７３      表示部
１１０      自動予約処理部
１２０      ロック解除手段生成部
１３０      データベース
１４０      通信制御手段
１５０      入出力制御手段
１５１      表示処理部
１５２      モバイルＩＣチップ制御部
１６０      アクセス処理手段
１７０      予約処理手段
【図１】
2014115918.tif 000003
【図２】
2014115918.tif 000004
【図３】
2014115918.tif 000005
【図４】
2014115918.tif 000006
【図５】
2014115918.tif 000007
【図６】
2014115918.tif 000008
【図７】
2014115918.tif 000009
【図８】
2014115918.tif 000010
【図９】
2014115918.tif 000011
【図１０】
2014115918.tif 000012
【図１１】
2014115918.tif 000013
【図１２】
2014115918.tif 000014
【図１３】
2014115918.tif 000015
【図１４】
2014115918.tif 000016
【図１５】
2014115918.tif 000017
【図１６】
2014115918.tif 000018
【図１７】
2014115918.tif 000019
【図１８】
2014115918.tif 000020
【図１９】
2014115918.tif 000021
【図２０】
2014115918.tif 000022
【図２１】
2014115918.tif 000023
【図２２】
2014115918.tif 000024